(57)【要約】      （修正有）【課題】家電、衣料品、スーパーマーケット等の量販店を対象とした動力盤、電灯盤等の取り扱いのガイド具を提供する。【解決手段】量販店用動力盤等の取扱ガイド具１は、量販店用の動力盤、電灯盤、コンセント盤を対象とし、対象となる盤の名称を表示する表題部２ａと、その盤の取扱に対する簡易的説明を記載したガイダンス部２ｂと、その盤のより詳細な取扱いに関する説明の表示されたインターネット上のウエブサイトにカメラ付き携帯電話で接続可能な二次元コードを表示したコード部２ｃとを設けた案内紙２を備える。該案内紙２の周囲を透明なラミネートフィルムで覆うと共に、その周囲を枠体４で囲い、且つ、裏面に付着のための裏磁石を付設してなる。【選択図】図１
0003210504.tif 000002
【実用新案登録請求の範囲】
【請求項１】
量販店用の動力盤、電灯盤、コンセント盤を対象とし、対象となる盤の名称を表示する表題部と、その盤の取扱に対する簡易的説明を記載したガイダンス部と、その盤のより詳細な取扱いに関する説明の表示されたインターネット上のウエブサイトにカメラ付き携帯電話で接続可能な二次元コードを表示したコード部とを設けた案内紙を備え、
該案内紙を透明なラミネートフィルムで覆うと共に、その周囲を枠体で囲い、且つ、裏面に付着のための裏磁石を付設してなる、
ことを特徴とする量販店用動力盤等の取扱ガイド具。
【請求項２】
枠体に、色彩、模様を施したことを特徴とする請求項１記載の量販店用動力盤等の取扱ガイド具。
【請求項３】
表題部に、色彩を施したことを特徴とする請求項１又は２記載の量販店用動力盤等の取扱ガイド具。
【請求項４】
量販店用の動力盤、電灯盤、コンセント盤を対象とし、対象となる盤の名称を表示する表題部と、その盤の取扱に対する簡易的説明を記載したガイダンス部と、その盤のより詳細な取扱いに関する説明の表示されたインターネット上のウエブサイトにカメラ付き携帯電話で接続可能な二次元コードを表示したコード部とを設けた案内紙を備え、
該案内紙を、四隅に埋設用の磁石を互いに相対する位置に配した２枚の透明アクリル樹脂板の間に挟着すると共に、裏面に付着のための両面テープを付設してなる、
ことを特徴とする量販店用動力盤等の取扱ガイド具。
【考案の詳細な説明】
【技術分野】
【０００１】
本考案は、家電、衣料品、スーパーマーケット等の量販店を対象とした動力盤、電灯盤等の取り扱いのガイド具に関する。
【背景技術】
【０００２】
家電、衣料品、スーパーマーケット等の量販店には、使用されるエアコン、消火ポンプ等へ動力源としての電力の供給が必要とされ、又、照明器具やパソコン等には区分けされた売り場毎へ配電が求められ、これらに応えるため、動力盤、電灯盤、コンセント盤等が設置されている。
それらの多くは、壁面に配されたボックスにメーター、ランプ、スイッチ等が設けられ、それらの表示に基づいて、配給する電気の種類の選択や、入力又は停止等の操作を行うことが求められる。そこでは、本来取扱説明書が準備され、その説明書を読んで、その記載に基づいて、正確な操作を行うことが必要とされる。
そして、上記量販店にあっては、これら動力盤、電灯盤、コンセント盤の形態や内容が各店によって異なるのが一般的であり、その盤にあわせた内容の理解や操作方法が求められ、本来取扱説明書の使用が必須となってくる。
しかし、その取扱説明書は、現場に近い操作盤の周囲に置くことは難しく、事務所の机や部屋の隅に仕舞われることが多く、必要なときに直ぐには持ち出すことが困難な場合が多い。
従って、操作ミスや誤作動を招く原因ともなっている。
尚、特許文献１には、エレベータ保守の制御用に二次元バーコード表示させる例が記載されているが、形態の異なる量販店用動力盤等に対応するものではなく、その効果の記載もない。
【先行技術文献】
【特許文献】
【０００３】
【特許文献１】特許第５３３２８０５号公報
【考案の概要】
【考案が解決しようとする課題】
【０００４】
本考案は上記実情に鑑みてなされたもので、量販店においての動力盤、電灯盤、コンセント盤等の理解及び操作にあたって、従来にないガイド具を提案し、それを動力盤等に付設可能とすることで、そこに簡易的説明を記載したガイダンスの表示と、それで不足な場合には更に詳細な説明の取得の可能な手段を提供しようとするものである。
【課題を解決するための手段】
【０００５】
上記課題を解決するため、本考案量販店用動力盤等の取扱ガイド具は、量販店用の動力盤、電灯盤、コンセント盤、を対象とし、対象となる盤の名称を表示する表題部と、その盤の取扱に対する簡易的説明を記載したガイダンス部と、その盤のより詳細な取扱いに関する説明の表示されたインターネット上のウエブサイトにカメラ付き携帯電話で接続可能な二次元コードを表示したコード部とを設けた案内紙を備え、該案内紙の周囲を透明なラミネートフィルムで覆うと共に、その周囲を枠体で囲い、且つ、裏面に付着のための裏磁石を付設してなることを特徴とする。
【０００６】
請求項２に記載の量販店用動力盤等の取扱ガイド具は、枠体に、色彩、模様を施したことを特徴とする。
【０００７】
請求項３に記載の量販店用動力盤等の取扱ガイド具は、表題部に色彩を施したことを特徴とする。  
【０００８】
請求項４に記載の量販店用動力盤等の取扱ガイド具量販店用の動力盤、電灯盤、コンセント盤を対象とし、対象となる盤の名称を表示する表題部と、その盤の取扱に対する簡易的説明を記載したガイダンス部と、その盤のより詳細な取扱いに関する説明の表示されたインターネット上のウエブサイトにカメラ付き携帯電話で接続可能な二次元コードを表示したコード部とを設けた案内紙を備え、該案内紙を、四隅に埋設用の磁石を互いに相対する位置に配した２枚の透明アクリル樹脂板の間に挟着すると共に、裏面に付着のための両面テープを付設してなることを特徴とする。
【考案の効果】
【０００９】
本案量販店用動力盤等の取扱ガイド具によれば、案内紙に配した表題部によって対象となる盤の名称を確認することができ、量販店用の動力盤、電灯盤、コンセント盤の別を間違うことがない。
又、ガイダンス部に記載された盤の取扱に対する簡易的説明によって、初心者でも理解可能な簡単で予備的な知識が与えられ、簡単な操作が可能となる。
更に、複雑な操作等でガイダンス部では満足されない場合には、コード部の二次元コードを活用し、カメラ付き携帯電話によるインターネットを介して専用のウエブサイトへと接続することができ、このサイトの表示から、取扱説明書による詳細な説明や、図解等による判りやすい説明を得ることができる。
【００１０】
又、本案ガイド具は、その枠体によって端部が保護されると共に、その額縁効果によってその存在を容易に探索でき、又、案内紙の周囲を透明なラミネートフィルムとすることで、耐水性及び耐候性を向上させることができる。
裏面に裏磁石を付設させることで、金属の盤体の何処にでも吸着させることができ、又、脱離も容易なので改定や手に持っての視認も可能となる。
【００１１】
請求項２に記載の取扱ガイド具にあっては、枠体に色彩、模様を施すことで、その額縁効果を一層強めることができる。
【００１２】
請求項３に記載の取扱ガイド具にあっては、色彩を施すことで、対象となる盤の名称を視覚的に引き立たせることができる。
【００１３】
請求項４に記載の取扱ガイド具にあっては、案内紙の効果は請求項１記載の考案と同様であるが、該案内紙を２枚のアクリル樹脂板間に挟み込み、それを四隅に配された埋設磁石７によって挟着することで、装着が極めて簡潔となる。案内紙を交換する場合にあっても、差し替えによる交換が容易に行える。
アクリル樹脂板は、物理的強度に優れ、使用にあたって衝撃等を受けても割れにくい等の強さを発揮する。
又、透明なアクリル樹脂板は、光沢のある色光で透過性に優れ、現場にあって耐熱性、撥水性、耐酸・アルカリ性を発揮する。
【図面の簡単な説明】
【００１４】
【図１】本考案取扱ガイド具の斜視図である。
【図２】同上側面図である。
【図３】第２の本考案取扱ガイド具の斜視図である。
【図４】同上側面図である。
【図５】本考案取扱ガイド具を動力盤に取り付けた状態の模式図である。
【考案を実施するための形態】
【００１５】
本考案取扱ガイド具の実施形態を、以下図面を基に説明する。
【００１６】
本案ガイド具は、量販店を対象とするが、その量販店とはある程度大量の商品の仕入れと販売を目的とした小売店を指す。具体的には、主に家庭用電気製品等を販売する電気量販店や、カジュアルな衣服や紳士服等を販売する衣料品量販店、食料品を主体とするスーパーマーケットを指し、これにカー用品、家具、靴等の小売店を含むものとする。
これら量販店には、その規模が比較的大きくなることから、電力供給等のための動力盤、電灯盤、コンセント盤等が備えられる。
【００１７】
例えば、量販店には、多くエアコン、スプリンクラー等への消火ポンプ、水道ポンプ等が必要とされ、この動力源に電力を供給するための動力盤が設置されている。
該動力盤の内部には、主に動力回路としての３相３線が配され、ここに動力系毎にブレーカー等が分設されている。そして、盤体の外側には流れる電気の電流値や電圧値を示すメーターや、運転、停止、異常発生等を示すランプが表示され、これらを操作するためのスイッチが併設されている。これらランプの表示を確認して状態を把握しつつ、正確なスイッチ操作が求められる。
【００１８】
電灯盤とは、上記動力盤とは異なり、照明灯等のための単相３線式の配線がなされ、天井灯や商品棚等への電力配給を司るものであるが、室内照明は売り場毎に電灯の配線地域が異なり、又電灯の種類等も異なるため、その地域及び種類に合わせた電力供給が必要とされる。又、室外にあっては、看板に照明が求められ、これは昼間と夜間で照明時間が異なることからタイマー制御等が必要とされる。
従って、その態様にあわせた操作が求められる。
【００１９】
更に、例えば電気量販店には、数多くの電気製品が置かれ、そこには種類の異なる態様で多くのコンンセントが必要とされ、それを纏めるのにコンセント盤が必要とされる。
例えば、テレビジョン用、パソコン用、冷蔵庫用等の各種製品毎に取り扱いが異なり、斯かる内容を理解し、それに従った操作が求められる。
【００２０】
上記の如く、各量販店に備えられる上記動力盤、電灯盤、コンセント盤には、その小売店の規模、地域、特質等によって、それぞれ個別な態様が求められ、それに従って盤の形態、内容、及びその操作方法も異なってくる。
【００２１】
そこで、本考案では、これに対応する為に以下の如き取扱ガイド具１を提案する。
【００２２】
先ず、図１に示す如く、本案取扱ガイド具１は、案内紙２を備える。
該案内紙２は、上部に対象となる盤の名称を表示する表題部２ａを設ける。これは動力盤、電灯盤、コンンセント盤があった場合に、その外観自体では内容を理解することが困難な場合もあるので、その対象を明確化して誤りのないようにするものである。
例えば、「動力盤」とするか、或いは、その動力系統が分かれている場合には、「第１店舗用動力盤」等とする。
該表題部２ａには、色彩を施すことができる。表題部２ａは、対象となる盤の名称を明示するものであり、色彩を施すことで、視覚的にそれを引き立たせることができる。
【００２３】
次いで、その表題部２ａの下には、その盤の取扱に対する簡易的説明を記載したガイダンス部２ｂを設ける。これは、あまり詳細な説明には入らず、操作の対象となる動力盤等への、予備的で概略的な説明を与えるもので、必要に応じて、注意書等を含めることができる。
各店、売場等で異なる形態の動力盤、電灯盤、コンセント盤への迅速な対応の為には、その大略を即座に理解できるような説明書きが必要であり、これに応えるものである。
例えば、図１に示す如く、テレビジョン用のコンセントを対象とした場合には、遠方スイッチとそれ以外のスイッチが併設され、通常営業日には、「遠方」にスイッチを合わせておいて、商品管理室において「点灯「及び「消灯」の操作を行い、一方、それ以外では、遠方操作とは別系列とし、強制的な「切」と「入」のスイッチを設け、非常事態等にあわせて、スイッチで遠方スイッチとは関係なく「切」、「入」の操作が可能なものとしておくことが多い。
そこで、スイッチの図解と共に、その下に、通常における「遠方」の使用を示す一方で、更にその下に「遠方」、「切」、「入」の題目と、その「設定時の状態」、「使用動作」をグラフ化して表示しておく。
【００２４】
更に、該案内紙２の一部にコード部２ｃを設け、該コード部２ｃは、動力盤、電灯盤、コンセント盤に関するより詳細な取扱いに関する説明の記載されたインターネット上のウエブサイトにカメラ付き携帯電話で接続可能な二次元コードを表示する。
即ち、上記ガイダンス部２ｂでは、入り口的説明であり、正確さを求める場合には、更なる説明が必要とされる場合が多い。そこで、本考案にあっては、カメラ付き携帯電話でインターネットを介してウエブサイトに接続を可能とする二次元コードを活用する。
【００２５】
そして、該ウエブサイトには以下のような形態の書き込みを施しておく。
先ず、挙げられるのは、動力盤等の操作に関する説明文であり、典型的なのは取扱説明書とされる文書に記載された内容をそのまま載せる形態である。これを読むことで詳細且つ正確な情報を得ることができる。
一方、これを正確に読解するには努力を必要とすることもあるので、これを噛みくだいて容易化した文書としても良い。図解等を加えて、より判り易い表現とする場合もある。
更には、動画の活用もある。例えば、電灯盤にあって、あるスイッチと、それを「入」、「切」した場合に、一定売場の照明灯が、動的に点灯又は消灯する画面が表示されれば初心者等にあっても理解が容易となる。
【００２６】
さて、斯くして得られた案内紙２は、木質系又は合成樹脂系の双方を利用できるが、この周囲を透明な合成樹脂等によるラミネートフィルム３で覆う（図２参照）。
ラミネートフィルム３には、これをパウチ状とする市販の機器を利用することができる。
【００２７】
次いで、このラミネートフィルム３で覆われた案内紙２の周りを枠体４で囲う。端面を保護すると共に、その額縁効果で存在を引き立たせる役割を兼ねるものである。
その為には、枠体４に色彩を施すか、統一した模様等を施すことが望ましい。
【００２８】
更には、ラミネートフィルム３で覆われた紙体２又は枠体４の裏面に吸着性の裏磁石５を付設する。動力盤等は多く金属製の蓋となっており、そこに該裏磁石５の吸着力で本案ガイド具１を装着、離脱させるものである。
【００２９】
次いで、請求項４の考案にあっては、案内紙の内容は上記請求項１の考案と同様であるが、該案内紙を、四隅に埋設用の磁石を互いに相対する位置に配した２枚の透明アクリル樹脂板間に挟着すると共に、裏面に付着のための両面テープを付設してなることを特徴とする。
【００３０】
アクリル樹脂板６は、屈折率１．４９の光沢のあるガラスより光の透過性に優れ、着色も容易でカラーのアクリル板とすることもできる。厚みを２〜３ｍｍ程度とすることで、物理的強度が発揮され、使用にあって何らかの衝撃を受けても割れ難いものとなる。
【００３１】
該アクリル樹脂板６の四隅には、埋設磁石７を互いに相対する位置に埋め込み、それを２枚重ね合わせることで上記案内紙を挟着する。該埋設磁石７の吸着力で相互に密着し、そこに案内紙を挟み込む形態とする。
【００３２】
裏面に付着のための両面テープ８を付設し、該両面テープは透明又は半透明タイプとするのが望ましい。
【００３３】
さて、上記の如き本案取扱ガイド具の使用にあたっては、電機量販店等の管理者、店員等が、動力盤等の前に立ちこれを操作しようとしたとき、本案ガイド具１を探す（図３参照）。
そして、案内紙２を覗くと、その表題部２ａには、対象となる動力盤、電灯盤、コンセント盤の別が表示され、その確認をすることができると共に、更に詳細な表示がある場合には、例えば、コンセント盤にあって、テレビジョン用のコンセントであることが確認できる。
【００３４】
次いで、ガイダンス部２ｂには、その盤の取扱に対する簡易的説明が記載されるので、初心者であっても理解できる簡単で予備的な知識が与えられる。
これによって簡単な操作等には対応でき、必要とされる動力盤等への操作等を行うことができる。
【００３５】
しかし、より複雑な操作を求められる場合等には、ガイダンス部２ｂの表記では満足されない場合が生じる。そこで、本案では、コード部２ｃに二次元コードを活用し、先ず、カメラ付き携帯電話で該二次元コードを撮影し、そのコード情報を基にインターネットを介して、専用のウエブサイトへと接続する。
【００３６】
すると、該ウエブサイトには、更に詳細な取り扱いに関する説明が表示され、例えば、取扱説明書とされる専用の説明書がアップデートされ、又は、回路等が簡略的に表示された図解がアップされている。
これによって、操作に関する更に詳細で且つ正確な知識を得ることが可能となる。
【００３７】
更に、本案では、従来の取扱説明書にはない、動画的表示が可能となり、例えば、電灯盤にあって、売場とそれに対応したスイッチを入・切すると、その売場の照明が点灯又は消灯される画像が動的に表示可能となる。
すると、初心者はもとより、管理者、店員等にあっても、正確な知識を迅速に得ることが可能となる。
【００３８】
一方、取扱の一部には、秘密の取扱が必要とされるべき情報も存する。
その場合には、ウエブサイト・ページの一部に、ＩＤ及びパスワードを設定し、そこへの入力を条件として、更なる秘密情報のページへの進行を可能とする。
【００３９】
上記内容を備えた本案ガイド具１は、その枠体４によって端部が保護されると共に、その額縁効果によってその存在を容易に探索できる。このとき、枠体４に、色彩、模様が施されていれば、探索は一層容易となる。
【００４０】
又、案内紙２の周囲を透明なラミネートフィルム３とすることで、耐水性及び耐候性を向上させることができる。
【００４１】
裏面に裏磁石５を付設させることによって、金属の盤体の何処にでも吸着させることができ、又、脱離も容易なので改定や手に持っての視認も可能となる。
【００４２】
請求項４の考案にあっては、案内紙の効果は請求項１の考案と同様であるが、該案内紙を２枚のアクリル樹脂板６間に挟み込み、それを四隅に配した埋設磁石７によって挟着することで、装着が極めて簡潔となる。アクリル樹脂板６に埋め込まれた磁石７の吸着力により互いが密接することで、密着・分離が容易となる。従って、案内紙を交換する場合にあっても、アクリル樹脂板６を分離し、案内紙をそこに挟み込むことで、差し替えによる交換が容易となる。
【００４３】
又、透明なアクリル樹脂板６は、光沢性のある色光を備えるので、案内紙の保護以外にもデザイン性に富んだものとなる。更に、動力盤等の設置場所にあって、耐熱性、撥水性、耐酸・アルカリ性等を発揮する。
【００４４】
斯くして、本案ガイト具は、従来、電機量販店等の管理人、店員等が、動力盤等の前に立ちこれを操作しようとしたとき、操作に不慣れ、又は、知識不足の場合には、他人の指示を仰ぐか、又は、取扱説明書を読まねばならなかったものを、その取扱説明書を探すこともなく、その場で、迅速且つ容易に、正確な知識の把握を可能とする。
その形態性にあたっても、耐候性に優れる等して、現場の使用状況に適合したものとなる。
【産業上の利用可能性】
【００４５】
本考案は、少なくとも動力盤、電灯盤、コンセント盤のいずれか一つを備えた主に電気量販店、衣料品量販店、スーパーマーケット等の量販店を対象とし、該動力盤等の取扱のガイドの表示具として利用が可能である。
【符号の説明】
【００４６】
１  ガイド具              
２  案内紙
２ａ  表題部
２ｂ  ガイダンス部
２ｃ  コード部
３  ラミネートフィルム
４  枠体
５  裏磁石
６  アクリル樹脂板
７  埋設磁石
８  両面テープ
Ｋ  動力盤
【図１】
0003210504.tif 000003
【図２】
0003210504.tif 000004
【図３】
0003210504.tif 000005
【図４】
0003210504.tif 000006
【図５】
0003210504.tif 000007